(57)【要約】【課題】  歯面に装着して、歯列矯正用のアーチワイヤを容易且つ確実に固定するようにする。【解決手段】  歯面に接着するベース板２上にアーチワイヤの取付体３を立設したブラケット本体１と、上記ブラケット本体にアーチワイヤを固定するロック部材６を備えた歯列矯正用ブラケットであって、上記取付体３はベース板上面の下側部に設け、その上部のベース板側に上端部を開口したワイヤスロット４を形成してあり、上記ロック部材は、弾性板を略Ｌ状に屈曲形成し、その長辺側７適所にはピン孔９を設けて、ベース板上面に設けたピン孔１０とに軸ピン１１を装着し回動可能に締着すると共に、短辺側８は弧状に形成してスロット４を開閉し得るように形成してある。【選択図】  図１
0003129689.tif 000002
【実用新案登録請求の範囲】
【請求項１】
歯面に接着するベース板にアーチワイヤの取付体を立設したブラケット本体と、上記ブラケット本体にアーチワイヤを固定するロック部材を備えた歯列矯正用ブラケットであって、上記取付体は、ベース板上面の下側部に設け、その上部のベース板側に上端部を開口したワイヤスロットを形成してあり、上記ロック部材は、弾性板を略Ｌ状に屈曲形成し、その長辺側適所にはピン孔を設けて、ベース板上面に設けたピン孔とに軸ピンを装着し回動可能に軸着すると共に、短辺側は弧状に形成してスロットを開閉し得るようにしてあることを特徴とする歯列矯正用ブラケット。
【請求項２】
歯面に接着するベース板上にアーチワイヤの取付体を立設したブラケット本体と、上記ブラケット本体にアーチワイヤを固定するロック部材とを備えた歯列矯正用ブラケットであって、上記取付体は、その上部より下部を肉厚に形成して上面を傾斜させ、上面下部には上端部を開口したワイヤスロットを形成すると共に、該ワイヤスロットの下側壁上部には係止溝を設けてあり、上記ロック部材は、弾性板を略方形に形成し、その一側部を取付体上部の斜面に回動可能に軸着し、他端部を前記係止溝に係脱させることによって、前記ワイヤスロットを開閉し得るようにしてあることを特徴とする歯列矯正用ブラケット。
【請求項３】
歯面に接着するベース板上にアーチワイヤの取付体を立設したブラケット本体と、上記ブラケット本体にアーチワイヤを固定するロック部材とを備えた歯列矯正用ブラケットであって、上記ベース板は歯軸と交差する方向に細長く形成してあり、上記取付体は略角柱状に形成して、そのベース板側の上側部には上端部が開口し近遠心方向に延びるワイヤスロットを形成すると共に、その下側にしてスロットと反対側の適所には係止凹部を設けてあり、上記ロック部材は、弾性板をコ状に折曲して取付体の側面に嵌合し得るようにしてあり、その長手方向一側端部を前記取付体外側に嵌めて回動可能に軸着し、他側端部の内側には前記取付体の係止凹部に係合し得る係止凸部を設けて、ワイヤスロットを開閉し得るようにしてあることを特徴とする歯列矯正用ブラケット。
【請求項４】
歯面に接着するベース板にアーチワイヤの取付体を立設したブラケット本体と、上記ブラケット本体にアーチワイヤを固定するロック部材を備えた歯列矯正用ブラケットであって、上記取付体は、ベース板上面の下側部に設け、その上部のベース板側に上端部を開口したワイヤスロットを形成してあり、その下側にしてスロットと反対側の適所には係止凹部を設けてあり、上記ロック部材は、弾性板を略Ｕ状に折曲して取付体の外側面に嵌合し得るように形成し、下側端部内側には前記取付体の係合凹部に係合し得る係止凸部を設けて、ワイヤスロットを開閉し得るようにしてあることを特徴とする歯列矯正用ブラケット。
【考案の詳細な説明】
【技術分野】
【０００１】
本考案は、歯面に装着して、近遠心方向に伸びたアーチワイヤ（矯正ワイヤ）を確実に固定し得るようにした歯列矯正用のブラケットに関する。
【背景技術】
【０００２】
従来、歯列の矯正を行うに当たり、歯の表面に歯列矯正具を接着剤などで固定し、該歯列矯正具間にアーチワイヤを挿通し、アーチワイヤの復元力で歯を押圧することにより、歯列を正しい位置に移動させて矯正している。
従来の歯列矯正に使用するブラケットにおいては、歯面に接着するベース上に立設した取付体の中央部には、側面を開口とした近遠心方向のワイヤスロットが形成されており、アーチワイヤを側面より嵌めてリガチャーワイヤで結紮しているために、アーチワイヤの取付作業が円滑に行い難く、特に歯の裏面にブラケットを取付けた場合にはアーチワイヤの取付作業が一層難しくなる問題点があった。
而して、係る問題点に鑑みて、下記特許文献１のように、取付体の上側を開口したワイヤ挿入溝を形成して、アーチワイヤを歯先側より嵌めて、ワイヤ挿入溝を開閉する係止片でアーチワイヤを固定するようにしたものがある。
【特許文献１】実公昭６３−７２２０号
【考案の開示】
【考案が解決しようとする課題】
【０００３】
上記従来のアーチワイヤを歯先側より嵌めることができるブラケットは、矯正作業が行い易い利点はあるが、製造が容易でなくコスト高になる等の難点があった。また、取付体が歯面より大きく出張る為に、特に歯の裏面に接着して使用した場合には、舌先への異物感が大きく不快であった。
【０００４】
本考案は、アーチワイヤを歯先側より嵌め付けることによって、歯列の矯正作業を円滑に行うことが出来ると共に、構造が簡単で製造が容易であり、また、舌先への異物感を減少した矯正用のブラケットを提供するものである。
【課題を解決するための手段】
【０００５】
本考案のブラケットは、歯面に接着するベース板上にアーチワイヤの取付体を立設したブラケット本体と、上記ブラケット本体にアーチワイヤを固定するロック部材を備えた歯列矯正用ブラケットであって、上記取付体はベース板上面の下側部に設け、その上部のベース板側に上端を開口したワイヤスロットを形成してあり、上記ロック部材は、弾性板を略Ｌ状に屈曲形成し、その長辺側適所にはピン孔を設けて、ベース板上面に設けたピン孔とに軸ピンを装着し回動可能に軸着すると共に、短辺側は弧状に形成してスロットを開閉し得るように形成してある。
【０００６】
又、上記取付体は、その上部より下部を肉厚に形成して上面を傾斜させ、上面下部には上端を開口したワイヤスロットを形成すると共に、該ワイヤスロットの下側壁上部には係止溝を設け、上記ロック部材は、弾性板を略方形に形成し、その一側部を取付体上部の斜面に回動可能に軸着し、他端部を前記係止溝に係脱させることによって、前記ワイヤスロットを開閉し得るように形成する場合がある。
【０００７】
又、ベース板は歯軸と交差する方向に細長く形成し、上記取付体は略角柱状に形成してそのベース板側の上側部には、上端が開口したワイヤスロットを近遠心方向に形成すると共に、長手方向の一側端部には係止凹部を設け、上記ロック部材は、弾性板をコ状に折曲して、取付体の側面に嵌合し得るように形成してあり、その長手方向一側端部を前記取付体外側に嵌めて回動可能に軸着すると共に、他側端部の内側には前記取付体の係止凹部に係合し得る係止凸部を設けてワイヤスロットを開閉し得るように形成する場合もある。
【０００８】
又、上記取付体は、上側部のベース板側に上端部を開口したワイヤスロットを形成すると共に、その下側にしてスロットと反対側の適所には係止凹部を設けてあり、上記ロック部材は、弾性板を略Ｕ状に折曲して取付体の外側面に嵌合し得るように形成し、下側端部内側には前記取付体の係合凹部に係合し得る係止凸部を設けて、ワイヤスロットを開閉し得るように形成する場合もある。
【考案の効果】
【０００９】
本考案のブラケットによれば、アーチワイヤを歯先側より嵌め込んで確実に固定することができる。特に作業が難しい歯裏側へのアーチワイヤの取付作業を、極めて円滑に行うことができる。
また、スロット内のアーチワイヤをロック部材で押圧しているので、矯正作業中にアーチワイヤに引張力が作用してもブラケットから外れる惧れが無く、矯正作業を安心して行うことが出来る。
また、極めて小型に形成することが出来るので、歯の裏面に装着した場合、舌先への異物感を極力少なくすることができる利点もある。
更に、本考案に係るブラケットは構成が簡単で製作が容易であり、コストを低減できる。
【実施例１】
【００１０】
次に添付図面に従って、本考案の実施例を詳説する。
図１乃至図３において、１はブラケット本体であって、歯面ｔに接着する薄板状ベース板２には、その上面下側部に、肉厚の取付体３を立設してある。
前記取付体３は、その上部のベース板２側に上端を開口したワイヤスロット４を形成してある。５はリガチャーワイヤを結紮するために取付体３下側に突設したフックを示す。
６は弾性板を略Ｌ状に屈曲形成したロック部材であって、長辺側７の中央部にピン孔９を形成し、ベース板２上部に設けたピン孔１０とに軸ピン１１を装着し回動可能に締着してあり、短辺側８はピン孔９に対して弧状に形成し、該弧状部が前記スロット４の上端部を圧着して、開口部１２を開閉し得るようにしてある。
【００１１】
次に上記ブラケットの作用につき説明すると、ベース板２を歯面に接着後、ワイヤスロット４内にアーチワイヤＷを歯先側より嵌め込んで、ピンセットのような適当な治療用具の先端部でロック部材６を回動して、その短辺側８で開口部１２を塞ぐと、アーチワイヤＷは短辺側８の弾力でワイヤスロット４内に確実に固定される。
さらに、ロック部材の長辺側７を軸ピン１１でベース板２に締着するようにしてあるので、矯正期間中にロック部材６が濫りに動く惧れがない。
又、ワイヤスロット４よりアーチワイヤＷを取外すには、短辺側８を器具で矢印で示す方向に押し回わすと、スロット上部が開放され、直ちにアーチワイヤＷをワイヤスロット４から取り出すことが出来る。
【実施例２】
【００１２】
本実施例においては、図４及び図５に示すように、歯面に接着するベース板２０板上に設けた取付体２１は、その上部より下部を肉厚に形成して上面を傾斜させ、上面下部にワイヤスロット２２を凹設してある。又、ワイヤスロット２２の下側壁上部には係止溝２３を設けてある。
２４は弾性板で方形状に形成したロック部材であって、その一側部を前記取付体２１の斜面部２５に軸ピン２６で回動可能に軸着してあり、他端部を前記係止溝２３に係脱させることにより、前記スロット２２の開口部２７を開閉し得るようにしてある。
而して、上記ブラケットを使用するには、ベース板２０を歯面に接着後、ワイヤスロット２２内にアーチワイヤＷを歯先側より嵌め込み、ロック部材２４を回動して、その係止端部を係止溝２３に係合させると、開口部２６が塞がれると共に、アーチワイヤＷをワイヤスロット２２内に確実に固定することができる。
而して、ロック部材２４の係止端部２８は係止溝２３内に弾力で支持されているため簡単には外れないので、矯正期間中にロック部材２４が濫りに動く惧れがない。
【実施例３】
【００１３】
本実施例においては、図６乃至図９に示すように、歯面に接着するベース板３０は、歯軸に交差する方向に細長く形成してある。
また、ベース板３０に設けた取付体３１は、略角柱状に形成して、そのベース板側の上側部には、上端部が開口し近遠心方向に延びる角溝状のワイヤスロット３２を形成すると共に、取付体下側にしてスロットと反対側の適所には係止凹部３３を設けてある。
又、３４は金属性弾性板を断面コ状に折曲して、取付体３１の側面に嵌合し得るように形成したロック部材であって、その長手方向一側端部を前記取付体３１の外側に嵌めてその一端部を軸ピン３５で回動可能に軸着し、他側端部の内側には、前記係止凹部３３に係合し得る係止凸部３６を設けて、前記ワイヤスロット３６の開口部３７を開閉し得るように形成してある。
而して、このブラケットを使用するには、歯面にベース板３０を接着した後、ワイヤスロット３２内にアーチワイヤＷを歯先側より嵌込み、ロック部材３４を回動して、その係止凸部３６を係止凹部３３に係合させると、開口部３７が塞がれると共に、アーチワイヤＷをワイヤスロット３２内に確実に押圧固定することができる。また、ロック部材３４の係止凸部３６は係止凹部３３から簡単には外れないので、矯正期間中にロック部材３４が濫りに動く惧れがない。
【実施例４】
【００１４】
本実施例においては、図１０乃至図１３に示すように、歯面に接着するベース板４０上面の下部に設けた取付体４１は、その上側部のベース板４０側に上端を開口したワイヤスロット４２を形成すると共に、取付体下側にしてスロットと反対側の適所には係止凹部４３を設けてある。４８は必要に応じて取付体４１下部に突設したフックを示す。
４４は弾性板を略Ｕ状に屈曲形成したロック部材であって、その下側の中央部にはフック４８に嵌合するスライド孔４５を形成すると共に、スライド孔側の端部内側には、前記取付体４１の係止凹部４３に係合し得る係止凸部４６を設けてある。該ロック部材４４は取付体４１の外側に弾性をもって嵌め付けてあり、取付体４１の上下面に沿って矢印方向にスライドさせることにより、ワイヤスロット４２の開口部４７を開閉し得るようにしてある。
而して、上記ブラケットを使用するには、ベース板４０を歯面に接着し、ワイヤスロット４２内にアーチワイヤＷを歯先側より嵌め込ん後、ロック部材４４を歯側に押し込んで係止凸部４６を係止凹部４３に係合させると、開口部４７は塞がれると共に、アーチワイヤＷをワイヤスロット４２内に押圧固定することができる。また、ロック部材４の係止凸部４６は係止凹部４３から簡単には外れないので、矯正期間中にロック部材４４が濫りに動く惧れがない。
【図面の簡単な説明】
【００１５】
【図１】実施例１におけるブラケットの正面図であって、アーチワイヤの解放状態を示す。
【図２】アーチワイヤを止着した状態の同上平面図である。
【図３】図１におけるＡ−Ａ線断面図であって、アーチワイヤの止着状態を示す。
【図４】実施例２におけるブラケットの正面図であって、アーチワイヤの解放状態を示す。
【図５】図４におけるＢ−Ｂ線断面図であって、アーチワイヤの止着状態を示す。
【図６】実施例３におけるブラケットの平面図であって、アーチワイヤの解放状態を示す。
【図７】アーチワイヤを止着した状態の同上平面図である。
【図８】図６におけるＣ−Ｃ線断面図である。
【図９】図７におけるＤ−Ｄ線断面図である。
【図１０】実施例４におけるブラケットの正面図であって、アーチワイヤの止着状態を示す。
【図１１】同上底面図である。
【図１２】アーチワイヤを解放した状態のＥ−Ｅ線断面図である。
【図１３】アーチワイヤを止着した状態の同上断面図である。
【符号の説明】
【００１６】
１      ブラケット本体
２      ベース板
３      取付体
４      ワイヤスロット
５      フック
６      ロック部材
７      長辺側
８      短辺側
９      ピン孔
１０    ピン孔
１１    軸ピン
１２    開口部
２０    ベース板
２１    取付体
２２    ワイヤスロット
２３    係止溝
２４    ロック部材
２５    斜面  
２６    軸ピン
２７    開口部
３０    ベース板  
３１    取付体
３２    ワイヤスロット
３３    係止凹部
３４    ロック部材
３５    軸ピン
３６    係止凸部
３７    開口部
４０    ベース板
４１    取付体
４２    ワイヤスロット
４３    係止凹部
４４    ロック部材
４５    スライド孔
４６    係止凸部
４７    開口部
４８    フック
【図１】
0003129689.tif 000003
【図２】
0003129689.tif 000004
【図３】
0003129689.tif 000005
【図４】
0003129689.tif 000006
【図５】
0003129689.tif 000007
【図６】
0003129689.tif 000008
【図７】
0003129689.tif 000009
【図８】
0003129689.tif 000010
【図９】
0003129689.tif 000011
【図１０】
0003129689.tif 000012
【図１１】
0003129689.tif 000013
【図１２】
0003129689.tif 000014
【図１３】
0003129689.tif 000015